(57)【特許請求の範囲】
【請求項１】
複数のルーバーを有する自動車のエアコン送風口に物品ホルダを取り付けるための取付具であって、
物品ホルダ本体に着脱自在に係合する取付基部と、該取付基部から延出する第１のアームと、該第１のアームと所定間隔を置いて前記取付基部から延出し、先端側に、前記第１のアーム側に湾曲して前記複数のルーバーの中の所定のルーバーの奥側の後縁に係合可能なフックを有する第２のアームとを有し、前記第１のアームの先端と前記第２のアームの前記フックの先端との間には間隙が形成されており、該間隙が前記ルーバーを前記第１のアームと前記第２のアームとの間に挿入するためのルーバー挿入口を成す取付具本体と、
前記第１のアームおよび前記第２のアームの側面側から前記取付具本体に着脱可能に取り付けられ、前記第１のアームおよび前記第２のアームに沿って移動可能であり、前記第２のアームの前記フックを前記ルーバーの前記後縁に係合させた状態で前記ルーバーの手前側の前縁に当接するように移動させることにより、前記第２のアームの前記フックと協同して前記ルーバーを狭持する保持部材とを有し、
前記取付具本体の前記第１のアームおよび前記第２のアームの少なくとも一方の外表面には、該アームの延出方向に直交する方向に延びる断面略三角形状の凸条が連続した係合部が形成されており、前記保持部材は、前記取付具本体に取り付けられた状態において該取付具本体の前記係合部に係合し、該係合部の所定の位置に係止可能な被係合部を有しており、
前記ルーバー挿入口から前記第１のアームと前記第２のアームとの間に前記ルーバーを挿入して、前記第２のアームの前記フックを前記ルーバーの前記後縁に係合させた状態で、前記保持部材を前記第１のアームおよび前記第２のアームに沿って移動させて、前記保持部材を前記ルーバーの前記前縁に当接させることにより、前記ルーバーに固定されることを特徴とする取付具。
【請求項２】
前記取付具本体の前記係合部は、前記第２のアームの外表面に形成されており、
前記保持部材は、前記取付具本体に取り付けられた状態において、前記第１のアームの外表面と対向する第１の部分と、前記第２のアームの外表面と対向する第２の部分と、前記第１の部分と前記第２の部分とを前記第１のアームおよび前記第２のアームの一方の側面側で連結する連結部とを有する断面略コの字状に形成されており、
前記保持部材の前記被係合部は、前記第２の部分に設けられ、前記取付具本体の前記係合部に対して弾性的に係合する請求項１に記載の取付具。
【請求項３】
前記保持部材は、前記取付具本体に取り付けられた状態において、該取付具本体の前記第１のアームと前記第２のアームとの間に位置するように設けられ、前記第１のアームを前記第１の部分側に弾性的に押圧するとともに、前記第２のアームを前記第２の部分側に弾性的に押圧する弾性押圧部材を有する請求項２に記載の取付具。
【請求項４】
前記保持部材は、前記第１の部分の前記第１のアームの外表面に対向する面に凸部が設けられており、前記保持部材が前記取付具本体に取り付けられた状態において、前記凸部が前記第１のアームに当接する請求項３に記載の取付具。
【請求項５】
前記保持部材は、前記取付具本体に取り付けられた状態において、前記第１のアームの他方の側面と係合するように前記第１の部分側面に設けられた第１のツメ部と、前記第２のアームの他方の側面と係合するように前記第２の部分側面に設けられた第２のツメ部とを有する請求項４に記載の取付具。
【請求項６】
前記保持部材は、前記第２の部分に設けられた前記被係合部に連結し、前記保持部材が前記取付具本体に取り付けられた状態において、前記第２のアームの前記係合部と前記被係合部との係止状態を解除可能なレバーを有する請求項５に記載の取付具。
【請求項７】
前記取付具は、前記取付具本体の前記第２のアームを前記第１のアームの下側に配置した状態で用いられ、
前記取付具本体は、前記ルーバーの下側に配置された前記第２のアームのフックを前記ルーバーの前記後縁に係合させるように構成されている請求項１ないし６のいずれかに記載の取付具。
【発明の詳細な説明】
【技術分野】
【０００１】
本発明は、自動車のエアコン送風口のルーバーに着脱自在にドリンクホルダ等の物品ホルダを取り付けるための取付具に関する。
【背景技術】
【０００２】
最近、自動車のエアコンの送風口のルーバーに着脱自在に取り付けられる各種物品ホルダが販売されている。このような物品ホルダとしては、缶ジュースや５００ｍｌペットボトル等のドリンク類をエアコン送風口に保持するための各種ドリンクホルダが知られている。
【０００３】
このようなドリンクホルダは、一般に、飲料容器をエアコン送風口の前方で垂直状態に保持するホルダ本体と、このホルダ本体をエアコン送風口のルーバーに着脱自在に取り付けるための一対のホルダ取付具とから構成されている。
【０００４】
このようなホルダ取付具としては、一般に、プラスチックの一体成形により形成されたプラスチック製クリップが用いられている。
【０００５】
このようなプラスチック製クリップの一例が、特許第４０５６０９８号公報に記載されている。このクリップは、ホルダ本体に係合する取付基部と、取付基部から延出し、先端にルーバーと係合するフックを有する上部アームと、上部アームと所定間隔を置いて対向するように取付基部から延出する下部アームと、上部アームおよび下部アームに沿って移動可能であり、上部アームと下部アームとが離間するのを防止する離間防止リングとを有している。このクリップでは、上部アームにねじが形成されており、離間防止リングとして上部アームのねじに螺合するナットを用いており、上部アームのフックをルーバーに係合させた状態でナットを上部アームおよび下部アームの先端側に移動させることにより下部アームの弾性と上部アームのフックによりルーバーにクリップが固定される。
【０００６】
ところで、最近の自動車のエアコン送風口は、様々な形状（四角型、丸型等）のものがあり、その送風口の形状に合わせてルーバーの形状（太さ、幅、奥行、設置角度等）も様々なものがある。上記のクリップでは、ルーバーの形状によっては、上部アームをルーバーに係合させる際に、上部アームおよび下部アームを囲むように設けられたナットが邪魔になってしまい、上部アームをうまくルーバーに係合させることができない場合がある。したがって、ルーバーの形状を問わず、ルーバーに安定してホルダ本体を取り付けることが可能なホルダ取付具が望まれる。
【先行技術文献】
【特許文献】
【０００７】
【特許文献１】特許第４０５６０９８号公報
【発明の概要】
【発明が解決しようとする課題】
【０００８】
本発明は、上記従来の問題点を鑑みたものであり、その目的は、自動車のエアコン送風口のルーバーの形状を問わず、ルーバーに安定してホルダ本体を取り付けることが可能な取付具を提供することにある。
【課題を解決するための手段】
【０００９】
このような目的は以下の（１）〜（７）の本発明により達成される。
（１）複数のルーバーを有する自動車のエアコン送風口に物品ホルダを取り付けるための取付具であって、
物品ホルダ本体に着脱自在に係合する取付基部と、該取付基部から延出する第１のアームと、該第１のアームと所定間隔を置いて前記取付基部から延出し、先端側に、前記第１のアーム側に湾曲して前記複数のルーバーの中の所定のルーバーの奥側の後縁に係合可能なフックを有する第２のアームとを有し、前記第１のアームの先端と前記第２のアームの前記フックの先端との間には間隙が形成されており、該間隙が前記ルーバーを前記第１のアームと前記第２のアームとの間に挿入するためのルーバー挿入口を成す取付具本体と、
前記第１のアームおよび前記第２のアームの側面側から前記取付具本体に着脱可能に取り付けられ、前記第１のアームおよび前記第２のアームに沿って移動可能であり、前記第２のアームの前記フックを前記ルーバーの前記後縁に係合させた状態で前記ルーバーの手前側の前縁に当接するように移動させることにより、前記第２のアームの前記フックと協同して前記ルーバーを狭持する保持部材とを有し、
前記取付具本体の第１のアームおよび前記第２のアームの少なくとも一方の外表面には、該アームの延出方向に直交する方向に延びる断面略三角形状の凸条が連続した係合部が形成されており、前記保持部材は、前記取付具本体に取り付けられた状態において該取付具本体の前記係合部に係合し、該係合部の所定の位置に係止可能な被係合部を有しており、
前記ルーバー挿入口から前記第１のアームと前記第２のアームとの間に前記ルーバーを挿入して、前記第２のアームの前記フックを前記ルーバーの前記後縁に係合させた状態で、前記保持部材を前記第１のアームおよび前記第２のアームに沿って移動させて、前記保持部材を前記ルーバーの前記前縁に当接させることにより、前記ルーバーに固定されることを特徴とする取付具。
【００１０】
（２）前記取付具本体の前記係合部は、前記第２のアームの外表面に形成されており、
前記保持部材は、前記取付具本体に取り付けられた状態において、前記第１のアームの外表面と対向する第１の部分と、前記第２のアームの外表面と対向する第２の部分と、前記第１の部分と前記第２の部分とを前記第１のアームおよび前記第２のアームの一方の側面側で連結する連結部とを有する断面略コの字状に形成されており、
前記保持部材の前記被係合部は、前記第２の部分に設けられ、前記取付具本体の前記係合部に対して弾性的に係合する上記（１）に記載の取付具。
【００１１】
（３）前記保持部材は、前記取付具本体に取り付けられた状態において、該取付具本体の前記第１のアームと前記第２のアームとの間に位置するように設けられ、前記第１のアームを前記第１の部分側に弾性的に押圧するとともに、前記第２のアームを前記第２の部分側に弾性的に押圧する弾性押圧部材を有する上記（２）に記載の取付具。
【００１２】
（４）前記保持部材は、前記第１の部分の前記第１のアームの外表面に対向する面に凸部が設けられており、前記保持部材が前記取付具本体に取り付けられた状態において、前記凸部が前記第１のアームに当接する上記（３）に記載の取付具。
【００１３】
（５）前記保持部材は、前記取付具本体に取り付けられた状態において、前記第１のアームの他方の側面と係合するように前記第１の部分側面に設けられた第１のツメ部と、前記第２のアームの他方の側面と係合するように前記第２の部分側面に設けられた第２のツメ部とを有する上記（４）に記載の取付具。
【００１４】
（６）前記保持部材は、前記第２の部分に設けられた前記被係合部に連結し、前記保持部材が前記取付具本体に取り付けられた状態において、前記第２のアームの前記係合部と前記被係合部との係止状態を解除可能なレバーを有する上記（５）に記載の取付具。
【００１５】
（７）前記取付具は、前記取付具本体の前記第２のアームを前記第１のアームの下側に配置した状態で用いられ、
前記取付具本体は、前記ルーバーの下側に配置された前記第２のアームのフックを前記ルーバーの前記後縁に係合させるように構成されている上記（１）ないし（６）のいずれかに記載の取付具。
【図面の簡単な説明】
【００１６】
【図１】（ａ）本発明の取付具を物品ホルダ（飲料容器用のドリンクホルダ）に使用した際に、該物品ホルダをエアコン送風口のルーバーに取り付ける状態を説明するための図、（ｂ）本発明の取付具を、上記物品ホルダの物品ホルダ本体（ドリンクホルダ本体）に取り付ける方法を説明するための図である。
【図２】本発明の取付具の全体斜視図である。
【図３】図２に示す取付具の組み立て方法を説明するための図である。
【図４】図２に示す取付具の側面図である。
【図５】図２に示す取付具の保持部材を下斜め方向および上斜め方向から見た斜視図である。
【図６】図５に示す取付具の保持部材の側面図である。
【図７】図２に示す取付具をエアコン送風口のルーバーに取り付ける方法を説明するための断面図である。
【発明を実施するための形態】
【００１７】
以下、本発明の取付具を添付図面に示す好適な実施形態に基づいて説明する。
なお、以下の説明では、図面の上側を「上側」と言い、図面の下側を「下側」と言う。
【００１８】
まず、本発明の取付具を用いて自動車のエアコン送風口のルーバーに取り付けられる物品ホルダについて説明する。なお、本実施形態では、物品ホルダとして飲料容器用のドリンクホルダを用いた場合について説明する。
【００１９】
図１（ａ）は、本発明の取付具を物品ホルダ（飲料容器用のドリンクホルダ）に用いた場合に、該物品ホルダをエアコン送風口のルーバーに取り付ける状態を説明するための図、図１（ｂ）は、本発明の取付具を、上記物品ホルダの物品ホルダ本体（ドリンクホルダ本体）に取り付ける方法を説明するための図である。
【００２０】
このドリンクホルダ１００は、図１（ａ）に示すように、複数のルーバーを有するエアコン送風口２００の手前側（前面側）に配置され、飲料容器を保持するホルダ本体９０と、該ホルダ本体９０をエアコン送風口２００の所定のルーバー２０１に着脱自在に取り付けるための一対の取付具１，１（本発明の取付具）とから構成されている。
【００２１】
このホルダ本体９０は、飲料容器を支持する略四角形の底部９０ａと、底部９０ａの４辺から立設された壁部９０ｂとを有しており、底部９０ａと壁部９０ｂとで囲まれた空間に飲料缶や５００ｍｌペットボトル等が保持される。
【００２２】
また、底部９０ａの下面には、ドリンクホルダ１００がエアコン送風口２００（所定のルーバー２０１）に取り付けられた状態で、底部９０ａからエアコン送風口２００方向に突出してエアコン送風口２００の周辺部に当接し、後述する一対の取付具１，１と協同してホルダ本体９０を水平状態に保持するための当接片９１が移動可能に設けられている。
【００２３】
このような当接片９１を設けることにより、取付車種のエアコン送風口２００の周囲のダッシュボードの形状に合わせて適宜当接片９１の突出距離を調整し、一対の取付具１，１と協同してホルダ本体９０を水平に保持することができる。
【００２４】
また、ホルダ本体９０のエアコン送風口２００に取り付けられる側の壁部９０ｂには、図１（ｂ）に示すように、一対の取付具１，１が着脱自在に取り付けられる取付部９２が一体に形成されている。この取付部９２は、ホルダ本体９０の壁部９０ｂ表面よりも突出した位置に設けられた取付面９２ａを有しており、この取付面９２ａには、そのほぼ中心から左右に延出する取付用孔９３が形成されている。
【００２５】
取付用孔９３は、中央に位置し、ほぼ円形の第１の孔９３ａと、第１の孔９３ａから左右に延出し、第１の孔９３ａの直径よりも小さな幅を有する第２の孔９３ｂとから構成されている。このような取付用孔９３は、第１の孔９３ａが後述する取付具１における取付基部２１の基端部２１１が挿入可能な直径を有しているとともに、第２の孔９３ｂが取付基部２１の溝部２１２が挿嵌されて係止可能な幅を有している。
【００２６】
次に、上述したようなドリンクホルダ１００に用いられる一対の取付具１，１について説明する。
【００２７】
図２は、本発明の取付具の全体斜視図、図３は、図２の取付具の組み立て方法を説明するための図、図４は、図２の取付具の側面図である。
【００２８】
一対の取付具１，１は、図２ないし図４に示すように、それぞれ、取付具本体２と、取付具本体２に着脱可能に取り付けられる保持部材３とから構成され、取付具本体２に保持部材３が取り付けられて使用される。この取付具本体２および保持部材３は、それぞれプラスチックの一体成形により形成される。
【００２９】
まず、取付具本体２について説明する。
取付具本体２は、ホルダ本体９０に着脱自在に係合する取付基部２１と、取付基部２１の上側から延出する第１のアーム２２と、第１のアーム２２と所定間隔を置いて取付基部２１の下側から第１のアーム２２と同方向に延出する第２のアーム２３とを有する。この取付具本体２は、取付具１をルーバー２０１に取り付ける際に、第１のアーム２２と第２のアーム２３との間にルーバー２０１が挿入された状態で用いられる。
【００３０】
取付基部２１は、断面略円形状を成す基端部２１１と、基端部２１１とほぼ同面積の断面略四角形状を成す先端部２１３と、基端部２１１と先端部２１３とを連結し、基端部２１１よりも小さな直径を有する溝部２１２とから構成されている。取付基部２１をこのような構成とすることにより、図１（ｂ）に示すように、ホルダ本体９０の取付部９２の取付面９２ａに形成された第１の孔９３ａに取付基部２１の基端部２１１を挿入した後、第２の孔９３ｂに溝部２１２を挿嵌させて、取付基部２１（取付具本体２）を第２の孔９３ｂの所定の位置に係合させることができる。
【００３１】
第１のアーム２２は、第２のアーム２３よりも短い板辺であり、第２のアーム２３とほぼ平行であるが、先端側に向かってわずかに上側に反るように構成されている。また、第１のアーム２２の後述する保持部材３が取り付けられる側の側部と反対側の側部には、保持部材３が取り付けられる基端側を除いて、外表面側に突出して保持部材３の上部ツメ３７，３７と係合する突起部２２１が設けられている。
【００３２】
第２のアーム２３は、基端が取付基部２１の先端部２１３と連結し、直線状に延出する直線部２３１と、直線部２３１の先端から第１のアーム２２側に傾斜する傾斜部２３２と、傾斜部２３２の直線部２３１と反対側の端部から第１のアーム２２側に湾曲してエアコン送風口２００のルーバー２０１の奥側の後縁に係合可能なフック２３３とを有している。
【００３３】
また、第２のアーム２３のフック２３３の先端と第１のアーム２２の先端との間には、間隙が形成されており、この間隙が、取付具１をルーバー２０１に取り付ける際に、ルーバー２０１を第１のアーム２２と第２のアーム２３との間に挿入するためのルーバー挿入口２４となる。
【００３４】
取付具本体２は、上述したように、第１のアーム２２の長さが第２のアーム２３よりも短く、さらに、第１のアーム２２が、第２のアーム２３とほぼ平行であるが、先端側に向かってわずかに上側に反るように構成されている。そのため、取付具１をルーバー２０１に取り付ける際に、ルーバー２０１をルーバー挿入口２４から挿入し、第１のアーム２２の下側をルーバー２０１の上面に当接させながら取付具１をエアコン送風口２００の奥側に挿入することにより、第２のアーム２３のフック２３３をルーバー２０１の後縁に容易に係合させることができる。
【００３５】
また、第２のアーム２３は、直線部２３１とフック２３３との間に、第１のアーム２２側に傾斜した傾斜部２３２を設けることにより、フック２３３の大きさ（湾曲面の大きさ）を必要以上に大きくする必要がないため、フック２３３をルーバー２０１の後縁にガタつきなく係合させることができる。
【００３６】
また、第２のアーム２３の直線部２３１の外表面には、第２のアーム２３の延出方向に直交する方向に延びる断面略三角形状の凸条が連続した係合部２３４が形成されている。
【００３７】
さらに、第２のアーム２３の直線部２３１の後述する保持部材３が取り付けられる側の側部と反対側の側部には、保持部材３が取り付けられる基端側を除いて、外表面側に突出して保持部材３の底部ツメ３８，３８と係合する突起部２３５が設けられている。
【００３８】
次に、保持部材３について説明する。
図５は、図２に示す保持部材を下斜め方向および上斜め方向から見た斜視図、図６は、図５に示す取付具の保持部材の側面図、図７は、図２に示す取付具をエアコン送風口のルーバーに取り付ける方法を説明するための断面図である。
【００３９】
保持部材３は、第１のアーム２２および第２のアーム２３の基端側において、第１のアーム２２および第２のアーム２３の側面側から取付具本体２に着脱可能に取り付けられ、第１のアーム２２および第２のアーム２３に沿って移動可能な部材である。そして、図７に示すように、保持部材３は、取付具１をルーバー２０１に取り付ける際に、ルーバー挿入口２４から取付具本体２の第１のアーム２２と第２のアーム２３との間にルーバー２０１を挿入して、第２のアーム２３のフック２３３をルーバー２０１の後縁に係合させた状態（図７（ａ））で、ルーバー２０１の手前側の前縁に当接するように移動させる（図７（ｂ））ことにより、第２のアーム２３のフック２３３と協同してルーバー２０１を狭持する。このように第２のアーム２３のフック２３３と保持部材３とによってルーバー２０１が狭持されることにより、取付具１がルーバー２０１に固定される。
【００４０】
この保持部材３は、取付具本体２に取り付けられた状態において、第１のアーム２２の外表面と対向する板状の上部（第１の部分）３１と、第２のアーム２３の外表面と対向する板状の底部（第２の部分）３２と、上部３１と底部３２とを、第１のアーム２２および第２のアーム２３に保持部材３を取り付ける側面側で連結する板状の連結部３３とを有する断面略コの字状に形成された部材である。
【００４１】
また、保持部材３の底部３２には、保持部材３が取付具本体２に取り付けられた状態において、第２のアーム２３の直線部２３１の外表面に形成された係合部２３４と係合し、係合部２３４の所定の位置に係止する被係合部３４が設けられている。
【００４２】
この被係合部３４は、底部３２のホルダ本体９０側の側部と連結し、底部３２に対して上下方向に延在する板状のレバー３９と一体的に形成され、レバー３９の上端から傾斜して上部３１側に延出する板状の部材から構成されている。板状の部材の先端には、第２のアーム２３の係合部２３４の連続した凸条に係合する係合溝３４ａが形成され、被係合部３４を構成している。
【００４３】
このような被係合部３４およびレバー３９は、底部３２よりも幅狭に構成されている。
このように、被係合部３４の幅を底部３２の幅よりも狭くすることにより、保持部材３が取付具本体２に取り付けられた状態において、被係合部３４を第２のアーム２３の係合部２３４に適度な弾性力で押圧して係合させることができる。そのため、取付具１の使用時において、保持部材３を第１のアーム２２および第２のアーム２３に沿って容易に移動させることができるとともに、保持部材３を取付具本体２の所定の位置で確実に固定することができる。
【００４４】
また、保持部材３が取付具本体２に取り付けられた状態において、レバー３９をホルダ本体９０側に引くことにより、互いに係合した係合部２３４の凸条と被係合部３４の係合溝３４ａとが離間し、第２のアーム２３の係合部２３４と保持部材３の被係合部３４との係止状態を解除することができる。
【００４５】
また、保持部材３は、取付具本体２に取り付けられた状態において、取付具本体２の第１のアーム２２と第２のアーム２３との間に位置するように設けられ、第１のアーム２２を上部３１側に弾性的に押圧するとともに、第２のアーム２３を底部３２側に押圧する弾性押圧部材３５を有する。
【００４６】
この弾性押圧部材３５は、連結部３３の中央部付近から上部３１および底部３２とほぼ平行に立設し、上部３１および底部３２よりも肉厚な板状の支持部３５ａと、支持部３５ａの先端側の両短辺と連結し、上下の各長辺との間に空間を成すように湾曲して設けられる円弧状の円弧部３５ｂ，３５ｂとから構成されている。これらの円弧部３５ｂ，３５ｂは、押圧されるとバネ弾性を示す。
【００４７】
取付具１では、保持部材３が取付具本体２に取り付けられた状態において、弾性押圧部材３５の円弧部３５ｂ，３５ｂが、それぞれ、第１のアーム２２を上部３１側に押圧するとともに、第２のアーム２３を底部３２側に押圧する。取付具１では、第１のアーム２２がわずかに上側に反るように構成されているとともに、弾性押圧部材３５の円弧部３５ｂによって、第１のアーム２２が保持部材３の上部３１側に押圧される。これにより、保持部材３が取付具本体２から簡単に外れないようにすることができるとともに、取付具１を使用する際に、保持部材３を移動させてルーバー２０１の前縁に保持部材３が当接した状態、すなわち、取付具１をルーバー２０１に固定した状態を確実に維持することができる。
【００４８】
また、保持部材３は、上部３１の第１のアーム２２の外表面に対向する面のホルダ本体９０側および第１のアーム２２および第２のアーム２３の先端側に一対の断面略半円形状の凸部３６，３６が設けられている。この凸部３６，３６は、それぞれ、保持部材３を取付具本体２に取り付けた状態において、第１のアーム２２に当接するように構成されている。このように、保持部材３の上部３１を第１のアーム２２に直接当接させずに、凸部３６，３６を介して当接させることにより、保持部材３を移動させる際の摩擦抵抗が減少し、より容易に保持部材３を移動させることができる。
【００４９】
さらに、保持部材３は、取付具本体２に取り付けられた状態において、上部３１の連結部３３と反対側の側面から第１のアーム２２側に突出した一対の上部ツメ３７，３７と、底部３２の連結部３３と反対側の側面から第２のアーム２３側に突出した一対の底部ツメ３８，３８とが設けられている。
【００５０】
この上部３１に設けられた上部ツメ３７，３７は、保持部材３が取付具本体２に取り付けられた状態において、上述した第１のアーム２２の外表面側に設けられた突起部２２１に係合する。また、底部３２に設けられた底部ツメ３８，３８は、保持部材３が取付具本体２に取り付けられた状態において、上述した第２のアーム２３の外表面側に設けられた突起部２３５に係合する。これらにより、取付具本体２に取り付けられた状態の保持部材３を第１のアーム２２および第２のアーム２３に沿って移動させた際に、先端側で保持部材３が取付具本体２から外れるのを確実に防止することができる。
【００５１】
以上のような構成の取付具１では、保持部材３を取付具本体２の第１のアーム２２および第２のアーム２３の側面側から着脱自在に取り付けることができる。そして、第２のアーム２３のフック２３３と保持部材３との間にエアコン送風口２００のルーバー２０１を狭持させることによって、取付具１をルーバー２０１に確実に固定することができる。
【００５２】
なお、取付具１では、取付具本体２に保持部材３を取り付けた状態で、取付具本体２の第１のアーム２２および第２のアーム２３の先端側をエアコン送風口２００の奥側に挿入し、第２のアーム２３のフック２３３と保持部材３との間にルーバー２０１を狭持させるようにしてもよいし、取付具本体２に保持部材３を取り付けない状態で、取付具本体２の第１のアーム２２および第２のアーム２３の先端側をエアコン送風口２００の奥側に挿入し、第２のアーム２３のフック２３３をルーバー２０１の後縁に係合させてから、取付具本体２に保持部材３を取り付けて第２のアーム２３のフック２３３と保持部材３との間にルーバー２０１を狭持させるようにしてもよい。
【００５３】
すなわち、エアコン送風口２００のルーバー２０１の形状によっては、取付具本体２の第１のアーム２２および第２のアーム２３の先端側をエアコン送風口２００の奥側に挿入する際に、取付具本体２に保持部材３が取り付けられた状態であると、保持部材３が邪魔して第２のアーム２３のフック２３３をルーバー２０１に取り付けられない場合や、取り付けづらい場合がある。そのような場合、取付具１は、第２のアーム２３のフック２３３をルーバー２０１の後縁に係合させてから、第１のアーム２２および第２のアーム２３の側面側から保持部材３を取り付けるようにして用いることができる。したがって、取付具１は、多種多様の形状を有するルーバー２０１に固定することができる。
【００５４】
また、取付具１では、取付具本体２として、第１のアーム２２および第２のアーム２３の長さを設計変更した場合であっても、設計変更前の取付具本体２に取り付ける保持部材３を同様に用いることができる。そのため、第１のアーム２２および第２のアーム２３の長さを調整した複数の取付具本体２を用意しておけば、ルーバー２０１の奥行に合わせて使用する取付具本体２を選択し、同一の保持部材３を用いることができる。
【００５５】
なお、本実施形態では、図１（ａ）に示すように、ルーバー２０１が横方向に延びる形状を有するエアコン送風口２００にドリンクホルダ１００を取り付ける場合について説明しており、取付具１は、取付具本体２の第２のアーム２３を第１のアーム２２の下側に配置した状態で用いられている。すなわち、本実施形態では、取付具本体２が、ルーバー２０１の下側に配置された第２のアーム２３のフック２３３をルーバー２０１の後縁に係合させるようにして取付具１がルーバー２０１に取り付けられている。
【００５６】
このような構成にすることにより、第２のアーム２３のフック２３３には、ルーバー２０１との係合が確実となる方向に、飲料容器およびドリンクホルダ１００の荷重がかかり、ルーバー２０１から第２のアーム２３のフック２３３が外れにくくなる。そのため、飲料容器を保持したドリンクホルダ１００をエアコン送風口２００のルーバー２０１に取り付けた状態で自動車を走らせた際に、段差や悪路等で自動車が振動する場合でも、ドリンクホルダ１００がルーバー２０１から外れるのを確実に防止することができる。
【００５７】
なお、以上の実施形態では、物品ホルダとして、ドリンクホルダ１００が用いられているが、本発明の取付具１は、シガレットケースや小物入れ等の他の物品ホルダをエアコン送風口２００に取り付ける場合にも使用することができる。
【符号の説明】
【００５８】
１…取付具  ２…取付具本体  ２１…取付基部  ２１１…基端部  ２１２…溝部  ２１３…先端部  ２２…第１のアーム  ２２１…突起部  ２３…第２のアーム  ２３１…直線部  ２３２…傾斜部  ２３３…フック  ２３４…係合部  ２３５…突起部  ２４…ルーバー挿入口  ３…保持部材  ３１…上部  ３２…底部  ３３…連結部  ３４…被係合部  ３４ａ…係合溝  ３５…弾性押圧部材  ３５ａ…支持部  ３５ｂ…円弧部  ３６…凸部  ３７…上部ツメ  ３８…底部ツメ  ３９…レバー  ９０…ホルダ本体（物品ホルダ本体）  ９０ａ…底部  ９０ｂ…壁部  ９１…当接片  ９２…取付部  ９２ａ…取付面  ９３…取付用孔  ９３ａ…第１の孔  ９３ｂ…第２の孔  １００…ドリンクホルダ（物品ホルダ）  ２００…エアコン送風口  ２０１…ルーバー
【図１】
0005486959.tif 000002
【図２】
0005486959.tif 000003
【図３】
0005486959.tif 000004
【図４】
0005486959.tif 000005
【図５】
0005486959.tif 000006
【図６】
0005486959.tif 000007
【図７】
0005486959.tif 000008